(57)【要約】      （修正有）【課題】取り付け取り外しに便利とし、並びに製造コストを減らせるハードディスクベイのハードディスク取付装置の提供。【解決手段】二つのレール１０とそれに組み合わされる平ネジ２０で構成され、レールがコンピュータの金属筐体に組み合わされたハードディスクベイの両内側に係合されたハードディスクベイのハードディスク取付装置において、レールの内側面に挿入溝１２が設けられ、ハードディスクに直接螺設された平ネジを利用してハードディスクがレールの挿入溝に挿入され、レールの前端に開閉装置が設計されてハードディスク取付完了して開閉装置が閉じられた後に、速やかにハードディスクを交換でき、取付と取り外しのいずれにも十分に便利とされた。【選択図】図３
0003106764.tif 000002
【実用新案登録請求の範囲】
【請求項１】
二つのレールとそれに組み合わされる平ネジで構成され、平ネジがハードディスク両側のネジ孔に取付られ、レールがコンピュータの金属筐体に組み合わされたハードディスクベイの両内側に係合されたハードディスクベイのハードディスク取付装置において、レールの内側面に挿入溝が設けられ、平ネジがレールの挿入溝に挿入され、レールの前端に開閉装置が設計されてハードディスク取付完了後に開閉装置が閉じられた後に、速やかにハードディスクを交換できることを特徴とする、ハードディスクベイのハードディスク取付装置。
【請求項２】
請求項１記載のハードディスクベイのハードディスク取付装置において、レールのハードディスクベイへの取付面にフックが設けられ、レールの内側面に挿入溝が設けられ、且つレールの前端に開閉装置が取付られたことを特徴とする、ハードディスクベイのハードディスク取付装置。
【請求項３】
請求項２記載のハードディスクベイのハードディスク取付装置において、レールの挿入溝の後端に挟持溝が設けられたことを特徴とする、ハードディスクベイのハードディスク取付装置。
【請求項４】
請求項２記載のハードディスクベイのハードディスク取付装置において、レールにあって開閉装置の後方上方位置に補強部が設けられたことを特徴とする、ハードディスクベイのハードディスク取付装置。
【請求項５】
請求項１記載のハードディスクベイのハードディスク取付装置において、平ネジの前端は扁平な円盤体とされ、後端にネジ部が設けられたことを特徴とする、ハードディスクベイのハードディスク取付装置。
【考案の詳細な説明】
【技術分野】
【０００１】
本考案は二つのレール及びそれに組み合わされる平ネジで組成され、直接平ネジをハードディスク両側のネジ孔に取り付け、平ネジを利用してスライドさせてレールの挿入溝に挿入し、速やかにハードディスクを交換できるようにする目的を達成するハードディスクベイのハードディスク取付装置に関する。
【背景技術】
【０００２】
一般にハードディスクの多くはビスを利用して直接ハードディスクベイに固定されるか、或いは取り出しに便利とするため、図１に示されるように、金属の筐体ａのハードディスクベイｂにハードディスク取付装置ｃが増設されている。周知のハードディスク取付装置ｃはカートリッジケースｃ１とそれに組み合わされる樹脂レールｃ２で組成され、樹脂レールｃ２はハードディスクベイｂの両側に螺子止めされ、樹脂レールｃ２の対向する内側に滑り溝ｃ２１が設けられ、カートリッジケースｃ１の両側の凸條ｃ１１が該滑り溝ｃ２１内に挿入されて取り付け取り外しに便利な目的を達成するものとされている。しかしカートリッジケースｃ１が余分に設けられ、且つハードディスクｄ取り付け時には二段階の作業が必要であるため、不便であるほか、製造コストの浪費を形成する。
【考案の開示】
【考案が解決しようとする課題】
【０００３】
本考案は上述の従来のコンピュータのハードディスクベイ装置の欠点を鑑み、ハードディスクベイ装置に対して改良を行ない、平ネジをハードディスクの両側のネジ孔に取り付けた後に、直接ハードディスクベイのレールの挿入溝内に挿入できるようにし、取り付け取り外しに便利とし、並びに製造コストの浪費を減らせるようにするものである。
【０００４】
本考案の主要な目的は、一種のハードディスクベイのハードディスク取付装置を提供することにあり、それは、コンピュータの筐体のハードディスクベイ装置内側に取り付けられるレールを提供し、ハードディスクの取り付け及び取り外し時の便利性を増し、並びに製造コストを減らせるようにしたものとする。
【０００５】
本考案のハードディスクベイのハードディスク取付装置は、二つのレールにそれに組み合わされる平ネジで構成され、そのうち、レール外側面にフックが設けられ、もとの金属の筐体に組み合わされたハードディスクベイの両側の係止部に係合可能とされ、且つレールの内側面に挿入溝が設けられ、レールの内側面に挿入溝が設けられ、レールの前端に開閉装置が設計され、直接平ネジがハードディスク両側のネジ孔に取り付けられる。
【０００６】
以上の構造により、平ネジがレールの挿入溝にスライド式に挿入され、速やかにハードディスクを交換できる目的が達成され、且つ余分にカートリッジケースを設ける必要がなく、直接ハードディスクをコンピュータ筐体内のハードディスクベイに取り付けることができ、使用上、十分に便利で製造コストの浪費を減らせ、レールは補強設計により、弾性を具備するのみならず一定の強度を具備し、ハードディスク運転時に発生する振動の一部を吸収できる。
【課題を解決するための手段】
【０００７】
請求項１の考案は、二つのレールとそれに組み合わされる平ネジで構成され、平ネジがハードディスク両側のネジ孔に取付られ、レールがコンピュータの金属筐体に組み合わされたハードディスクベイの両内側に係合されたハードディスクベイのハードディスク取付装置において、レールの内側面に挿入溝が設けられ、平ネジがレールの挿入溝に挿入され、レールの前端に開閉装置が設計されてハードディスク取付完了後に開閉装置が閉じられた後に、速やかにハードディスクを交換できることを特徴とする、ハードディスクベイのハードディスク取付装置としている。
請求項２の考案は、請求項１記載のハードディスクベイのハードディスク取付装置において、レールのハードディスクベイへの取付面にフックが設けられ、レールの内側面に挿入溝が設けられ、且つレールの前端に開閉装置が取付られたことを特徴とする、ハードディスクベイのハードディスク取付装置としている。
請求項３の考案は、請求項２記載のハードディスクベイのハードディスク取付装置において、レールの挿入溝の後端に挟持溝が設けられたことを特徴とする、ハードディスクベイのハードディスク取付装置としている。
請求項４の考案は、請求項２記載のハードディスクベイのハードディスク取付装置において、レールにあって開閉装置の後方上方位置に補強部が設けられたことを特徴とする、ハードディスクベイのハードディスク取付装置としている。
請求項５の考案は、請求項１記載のハードディスクベイのハードディスク取付装置において、平ネジの前端は扁平な円盤体とされ、後端にネジ部が設けられたことを特徴とする、ハードディスクベイのハードディスク取付装置としている。
【考案の効果】
【０００８】
本考案のハードディスクベイのハードディスク取付装置は、二つのレールとそれに組み合わされる平ネジで構成され、レールがコンピュータの金属筐体に組み合わされたハードディスクベイの両内側に係合されたハードディスクベイのハードディスク取付装置において、レールの内側面に挿入溝が設けられ、ハードディスクに直接螺設された平ネジを利用してハードディスクがレールの挿入溝に挿入され、レールの前端に開閉装置が設計されてハードディスク取付完了して開閉装置が閉じられた後に、速やかにハードディスクを交換できる目的を達成し、取付と取り外しのいずれにも十分に便利とされたことを特徴としている。
【考案を実施するための最良の形態】
【０００９】
図２、３に示されるように、本考案のハードディスクベイのハードディスク取付装置は、二つのレール１０に平ネジ２０が組み合わされてなる。
【００１０】
該レール１０は、プラスチック射出一体成形で形成され、外側面にフック１１が設けられ、レール１０の内側面に挿入溝１２が設けられ、挿入溝１２の後端に挟持溝１２１が設けられ、且つレール１０の前端に開閉装置１３が設けられ、開閉装置１３の後方のレール１０上方に補強部１４が設けられている。
【００１１】
平ネジ２０は金属が直接削られて形成され、前端は扁平な円盤体２１とされ、後端にネジ部２２が設けられている。
【００１２】
図４に示されるように、組付け使用時には、レール１０のフック１１が金属の筐体２に組み合わされたハードディスクベイ２ａの係止部２ａ１に係合され、並びに平ネジ２０がハードディスク３両側のネジ孔３ａに取付られ、平ネジ２０の円盤体２１部分がレール１０の挿入溝１２に挿入された後に、平ネジ２０が挟持溝１２１までスライドさせられ、その後、開閉装置１３が閉じられてハードディスク３の脱落が防止され、ハードディスク３の快速交換の目的が達成される。
【図面の簡単な説明】
【００１３】
【図１】周知のハードディスクベイのハードディスク取付装置の実施例図である。
【図２】本考案の立体組合せ図である。
【図３】本考案の立体分解図である。
【図４】本考案の実施例図である。
【符号の説明】
【００１４】
２  筐体            ２ａ  ハードディスクベイ
２ａ１  係止部      ３  ハードディスク
３ａ  ネジ孔        １０  レール
２０  平ネジ    １１  フック
１２  挿入溝        １２１  挟持溝
１３  開閉装置      １４  補強部
２１  円盤体        ２２  ネジ部
【図１】
0003106764.tif 000003
【図２】
0003106764.tif 000004
【図３】
0003106764.tif 000005
【図４】
0003106764.tif 000006